(57)【要約】  本発明は、医療用内視鏡（１３）の流動媒体を通す通路（７）のための活栓（１）に関し、通路（７）により貫通されるテーパ着座部（６）にコック（４）を軸（３）中心で回転可能に収容したハウジング（２）を備え、ハウジング（２）は軸（３）方向でテーパ着座部（６）に後続して軸受ブッシュ（８）を有し、軸受ブッシュに軸（３）中心で回転可能にグリップ本体（９）が支承され、グリップ本体はハウジング（２）外部でハンドグリップ（１０）を支持し、軸（３）方向へスライド可能にコック（４）と回転連結され、かつこれに対して弾性作用により支持され、グリップ本体（９）は、軸（３）方向でロックするように軸受ブッシュ（８）の周回内側溝（１７）に係合する、半径方向へ反発力のある係止装置（１６）を有し、コック（４）はロック解除位置へと軸（３）方向へスライドした場合に係止装置（１６）を軸受ブッシュ（８）と係合解除させるよう配置される。【選択図】図１
2017506946.tif 000002
【特許請求の範囲】
【請求項１】
医療用の内視鏡（１３）の流動媒体を通す通路（７）のための活栓（１）であって、
前記通路（７）により貫通されるテーパ着座部（６）にコック（４）をその軸（３）を中心として回転可能に収容しているハウジング（２）を備え、
該ハウジング（２）が、前記軸（３）の方向にて前記テーパ着座部（６）に後続するように軸受ブッシュ（８）を有し、
該軸受ブッシュには前記軸（３）を中心として回転可能となるようにグリップ本体（９）が支承され、
該グリップ本体は、前記ハウジング（２）の外部にてハンドグリップ（１０）を支持し、前記軸（３）の方向にスライド可能となるように前記コック（４）に回転連結されるとともに、これに対して弾性作用によって支持されており、
前記グリップ本体（９）が、前記軸（３）の方向にてロックを行うように前記軸受ブッシュ（８）における周回する内側溝（１７）に係合する係止装置であって、半径方向へ反発力のある係止装置を有している、活栓において、
前記コック（４）は、ロック解除位置へと前記軸（３）の方向にスライドした場合に前記係止装置を前記軸受ブッシュ（８）に対して係合解除させるように配置される構成となっていることを特徴とする、活栓。
【請求項２】
前記係止装置は、前記グリップ本体（９）における周回する外側溝（１８）の中にて支承されたスナップリング（１６）として構成されていることを特徴とする、請求項１に記載の活栓。
【請求項３】
前記コック（４）は、円周方向に配分されるように配置されるとともに半径方向外側に向かって突出する複数のカム（１９）を担持し、
該カムは、前記コック（４）がロック解除位置にある場合に、前記スナップリングが拡張して前記グリップ本体（９）における前記外側溝（１８）と係合解除されるように、前記スナップリング（１６）に対して拡張状態の係合をすることを特徴とする、請求項２に記載の活栓。
【請求項４】
前記カム（１９）は、前記コック（４）から前記グリップ本体（９）に向かう方向に突き出すように前記グリップ本体（９）のフィンガ（１４）の間に配置されたフィンガ（１２）の自由端に設けられていることを特徴とする、請求項３に記載の活栓。
【請求項５】
前記カム（１９）は、スライド方向の両方に進入斜面（２０）を有していることを特徴とする、請求項３又は４に記載の活栓。
【発明の詳細な説明】
【技術分野】
【０００１】
本発明は、請求項１の前提部分に記載されている種類の活栓に関する。
【背景技術】
【０００２】
極めて厳格に殺菌状態に保つことが必要とされる医療用の内視鏡には、活栓が据えつけられるようになっている。これには、内視鏡が使用されるたびに洗浄、殺菌されなければならない活栓もまた該当する。
【０００３】
活栓においては、コックがそのテーパ面によってハウジングのテーパ着座部に対して圧着される。このように広い面積となる当接部は、組付状態にある場合に洗浄可能ではなくなっている。すなわち、洗浄及び殺菌をするために活栓を分解しなければならなくなっている。これは、活栓が使用されるたびに必要となることである。
【０００４】
当分野に属する活栓としては、特許文献１に示されるものが挙げられる。かかる活栓はコック及びこれと連結されるグリップ本体をハウジングの中に有しており、グリップ本体はスナップリングを介して軸方向でハウジングに対して支持され、このロックを外してから、コックとグリップ本体とをハウジングから取り出すことができるようになっている。しかしながら、このような構成における欠点として、そのためにグリップ本体を、予定破断個所としての役目をするスナップリングの個所で破壊しなければならないということがある。
【先行技術文献】
【特許文献】
【０００５】
【特許文献１】ドイツ特許出願公開第１０１２６５４０Ａ１号明細書
【発明の概要】
【発明が解決しようとする課題】
【０００６】
本発明の課題は、当分野に属する活栓を簡素かつ非破壊的に分解可能となるように構成することにある。
【課題を解決するための手段】
【０００７】
本発明によれば、係止装置を係合解除することができ、その後に、グリップ本体とコックとをハウジングから取り出すことができる。ロック解除は、コックが軸の方向へスライドする場合における作用によって行われる。このことが当分野に属する構成において可能である理由は、そこではグリップ本体とコックとが相互に軸の方向にスライド可能に連結されているからである。
【０００８】
係止装置は、種々の形式にて、ロックボルト等を有するように構成されていてよい。請求項２によれば、係止装置は、グリップ本体における周回する外側溝の中で支承されるスナップリングとして構成されるのが好ましく、このことはそれ自体、冒頭に挙げた文献から公知となっている。
【０００９】
係止装置の係合解除は種々の形式で行うことができる。そのために、請求項３の構成要件が意図されるのが好ましい。コックにはカムが配置されていて、該カムは、コックがロック解除位置まで軸方向スライドした場合にスナップリングを内側から外側に向かって拡張させ、それは、スナップリングがコックの外側溝との係合部から引き出されるまで行われる。それによって、グリップ本体がロック解除され、コックとともにハウジングから取り出すことができるようになる。
【００１０】
このとき、請求項４に基づいて、カムは、グリップ本体のそれぞれのフィンガ間にて係合するフィンガにて構成されると好ましい。それによって、コックとグリップ本体とがスナップリングのロック解除のために必要である形式にて互いに係合できることが確保され、互いに噛み合うフィンガによって、回り止めをする形状接合がコックとグリップ本体との間で保証されることとなる。
【００１１】
このとき、請求項５に基づいて、カムにはそれぞれ可能なスライドの両方の方向で進入斜面が構成されていると好ましい。すなわち、カムは、活栓を分解できるようにするために、一方の方向へスライドした場合にスナップリングをロック解除できるだけでなく、組立のために他方の方向へもスライドするようになっている。
【００１２】
図面には本発明が一例として模式的に示され、次のものを示している：
【図面の簡単な説明】
【００１３】
【図１】図３の１−１線に基づく角度位置で本発明による活栓を示す軸方向の断面図である。
【図２】図３の２−２線に基づく角度位置で本発明による活栓を示す軸方向の断面図である。
【図３】図１又は図２の３−３線に沿った断面図である。
【発明を実施するための形態】
【００１４】
図１〜図３は、実質的に管状に軸３を取り囲むハウジング２を備える活栓１を種々の断面図として示している。
【００１５】
軸３に対して同心的に、外側のテーパ面５によってハウジング２のテーパ着座部６に着座するコック４が据えつけられている。このような良好に適合する広い面積の着座部は、封止の役目を果たすようになっている。
【００１６】
ハウジング２は、部分区域７’にてコック４をも貫通するとともに活栓１の外部にて内視鏡１３の中まで延びる通路７により貫通されている。図１の回転位置の場合、通路７，７’が一直線上に並ぶ。すなわち、活栓１が開く。コック４を回すと、通路７を閉じることができる。
【００１７】
テーパ着座部６に接して、コック４の一部が中へ突入する軸受ブッシュ８がハウジング１にて構成されている。さらに、この軸受ブッシュ８には、軸３に対して同心的な円筒状の外面をもつグリップ本体９が回転支承されている。コックと反対を向いている側のグリップ本体９の端面には、グリップ本体９を回転操作する役目をするように構成されるグリップ１０が取り付けられている。
【００１８】
グリップ本体９は、コック４とは別個に、かつこれに対して軸３の方向にスライド可能なように構成されている。グリップ本体９及びコック４の間には、これら両方の部品を軸３の方向にて互いに離れるように押圧するコイルばね１１であって、軸３に対して同心的に構成されたコイルばね１１が配置されている。
【００１９】
図３は、図１及び図２の３−３線に沿った断面図を示し、すなわち、コック４及びグリップ本体９間の半分の高さのところで、これらが長手方向スライドは許容するが相互の回動は阻止する回転係合をする領域で示している。図３に見られる通り、ハウジング２の内部には軸受ブッシュ８の領域に４つのフィンガが配置され、そのうち２つのフィンガ１２がコック４に取り付けられ、２つのフィンガ１４がグリップ本体９に取り付けられている。
【００２０】
図１、図２、及び図３は、図３に示すように正確な回転連結を保証するために回転方向でわずかなクリアランスをもって構成されたフィンガ１２，１４の噛み合いを示している。さらに、フィンガ１２，１４はグリップ本体９に対するコック４の長手方向スライドを許容し、その際に、フィンガ１２はコック４とともに動き、フィンガ１４はグリップ本体９とともに動く。
【００２１】
図１及び図２は、軸３の方向にロックされた位置にてハウジング２及びグリップ本体９を示している。このロックは、通常の形式にて弾性作用により拡張可能なように構成されたスナップリング１６によって実現され、このスナップリングは、図１及び図２に示すように、部分的には軸受ブッシュ８の内側溝１７の中に位置し、部分的にはグリップ本体９の外面にある外側溝１８の中に位置している。この個所では、図３のように、グリップ本体９は部分円周領域においてフィンガ１４の形態で存在しているに過ぎない。すなわち、外側溝１８はフィンガ１４に構成され、そこで、スナップリング１６を保持するようになっている。
【００２２】
これらの間にコック４のフィンガ１２が据えつけられ、その正確な形状が図１に示されている。フィンガ１２の自由端に、それぞれ、軸３の方向で見て両方の方向に向かって進入斜面２０を有する１つのカム１９が構成されている。
【００２３】
グリップ本体９と向かい合っているコック４の端部に、コックは、テーパ着座部６の延長として開口部を通ってハウジング２から突き出す軸方向の突起２２を備えている。矢印２３の方向へ突起２２が押圧されると、コック４がグリップ本体９に向かう方向へと動く。カム１９がその傾いた進入面２０でスナップリング１６の内面に達し、これを外方へ拡張させながらハウジング２の内側溝１７へと押し込む。それにより、グリップ本体９及びハウジング２間の軸方向のロック作用が解消されることとなる。グリップ本体９を、及びこれとともにコック４もまた、軸の方向へ自由にハウジング２から押し出せるようになる。このようにして活栓１が全体として分解される。
【００２４】
洗浄と殺菌とが行われてからの組立は非常に容易である。ばね１１をグリップ本体９とコック４との間に配置し、これらをフィンガ１２乃至１４で互いに嵌め合わせ、その様子は図３に示されている。スナップリング１６は内側溝１７の中に配置される。
【００２５】
引き続いて、コック４、ばね１１、及びグリップ本体９から成る組立ユニットを、軸３の方向にてハウジング２の中へ差し込む。カム１９の進入斜面２０がスナップリング１６まで到達し、カムを通過させるようになるまでこれを拡張させる。すると、図１及び図２に示す組立位置が実現されることとなる。
【符号の説明】
【００２６】
１  活栓
２  ハウジング
３  軸
４  コック
５  テーパ面
６  テーパ着座部
７  通路
８  軸受ブッシュ
９  グリップ本体
１０  グリップ
１１  コイルばね
１２  フィンガ（コック）
１３  内視鏡
１４  フィンガ（グリップ）
１６  スナップリング
１７  内側溝
１８  外側溝
１９  カム
２０  進入斜面
２２  突起
２３  矢印
【図１】
2017506946.tif 000003
【図２】
2017506946.tif 000004
【図３】
2017506946.tif 000005
【国際調査報告】
2017506946.tif 000006
2017506946.tif 000007
2017506946.tif 000008
2017506946.tif 000009
2017506946.tif 000010
2017506946.tif 000011